(57)【要約】【課題】ポスターなどの広告媒体を閲覧したユーザに対して能動的にコンテンツを配信でき、かつ、初期コストを安価にすることができる情報配信システムを提供する。【解決手段】会員カード１には、デジタルペン３で利用されるドットパターンが印刷され、ポスター２には、ドットパターンを読取り可能なドットパターンリーダ４が設けられている。会員カード１に印刷されたドットパターンからポスター２を閲覧したユーザを特定し、更に、ドットパターンを読取ったドットパターンリーダ４のリーダＩＤからポスター２の内容を特定し、情報管理サーバ６は、特定したユーザが所持する携帯電話２に、ポスター２の内容に関連したコンテンツを配信する。本発明によれば、ポスターを閲覧したユーザに対して能動的にコンテンツを配信できるばかりか、会員カード１には、ＩＣタグ等の電気部品を実装する必要はなく、初期コストを安価にできる。【選択図】図１
2008083773.tif 000002
【特許請求の範囲】
【請求項１】
屋内または屋外に掲示される広告媒体を閲覧したユーザに対して、前記広告媒体に関連する情報を配信する情報配信システムであって、
前記広告媒体に加え、ユーザを識別するために利用されるユーザ識別媒体と、ユーザが情報を閲覧するときに利用する情報表示端末と、前記広告媒体を閲覧したユーザに情報を配信する情報配信サーバとから、少なくとも構成され、前記ユーザ識別媒体には、デジタルペンによって利用される所定のドットパターンが印刷され、この前記ドットパターンは前記ユーザ識別媒体ごとに異なり、前記広告媒体には、前記ユーザ識別媒体に印刷された前記ドットパターンを読取るドッドパターンリーダが設けられ、この前記ドットパターンリーダには、前記ユーザ識別媒体から前記ドットパターンを読取り、前記ドットパターンから前記ユーザ識別媒体ごとに固有な情報である媒体ＩＤを特定し、特定した前記媒体ＩＤと前記ドットパターンリーダごとに固有なリーダＩＤとを、ネットワークを介して前記情報配信サーバに送信する手段を備え、前記情報配信サーバは、前記広告媒体の内容と前記リーダＩＤ、及び、前記ユーザ識別媒体を所持するユーザの前記情報表示端末のアドレスと前記媒体ＩＤを、それぞれ紐付けて管理し、前記ドットパターンリーダから送信された前記媒体ＩＤから、前記ユーザ識別媒体を所持しているユーザの前記アドレスを特定し、更に、前記ドットパターンから送信された前記リーダＩＤから配信するコンテンツを選択し、特定した前記アドレスに対して、選択したコンテンツを配信するコンテンツ配信手段を備えていることを特徴とする情報配信システム。
【請求項２】
請求項１に記載の情報配信システムにおいて、前記情報配信サーバには、前記デジタルペンを利用して、ユーザが、少なくとも前記アドレスを含むユーザの個人情報を前記ユーザ識別媒体に筆記したときに、前記デジタルペンから得られる筆跡情報を利用して、前記ユーザの前記個人情報を登録する手段を備えていることを特徴とする情報配信システム。
【請求項３】
請求項１または請求項２に記載の情報配信システムにおいて、前記ユーザ識別媒体は、紙媒体であることを特徴とする情報配信システム。
【請求項４】
請求項１から請求項３のいずれかに記載の情報配信システムであって、ユーザが所持する前記情報表示端末は携帯電話であって、前記情報配信サーバが配信する情報は電子メールであることを特徴とする情報配信システム。
【請求項５】
屋内または屋外に掲示される広告媒体を閲覧したユーザに対して、前記広告媒体に関連する情報を配信する情報配信方法であって、
ステップａ）前記広告媒体に設けられたドットパターンリーダが、前記広告媒体を閲覧したユーザが所持するユーザ識別媒体から、デジタルペンによって利用される所定のドットパターンを読取るステップ、
ステップｂ）前記ドットパターンリーダが、前記ステップａ）で読取った前記ドットパターンから前記ユーザ識別媒体ごとに固有な媒体ＩＤを特定し、特定した前記媒体ＩＤと前記ドットパターンリーダごとに固有なリーダＩＤとを、ネットワークを介して前記情報配信サーバに送信するステップ、
ステップｃ）前記広告媒体に関連する情報を配信する情報配信サーバが、前記ドットパターンリーダから送信された前記媒体ＩＤから、前記ユーザ識別媒体を所持しているユーザに対し情報を配信するためのアドレスを特定し、更に、前記ドットパターンリーダから送信された前記リーダＩＤから配信する情報を選択し、特定した前記アドレスに対して、選択した情報を配信するステップ、
が順に実行されることを特徴とする情報配信方法。
【発明の詳細な説明】
【技術分野】
【０００１】
本発明は、街頭や店舗に貼られるポスターなどの広告媒体を閲覧したユーザに対し、広告媒体の内容に関連した情報を配信するシステム及び方法に関する。
【背景技術】
【０００２】
街頭や店舗に貼られるポスターを閲覧したユーザに対し、ポスターの内容に関連した電子メールなどのコンテンツを配信する試みがなされている。
【０００３】
例えば、ポスターの内容に関連したコンテンツを公開しているＷｅｂページのＵＲＬを光学コード（１次元バーコードや２次元バーコード）に符号化し、ポスターに印刷されたこの光学コードを、ユーザが携帯電話などで読取ることで、ＵＲＬで示されるＷｅｂページからコンテンツが得られるシステムが、特許文献１において開示されている。
【０００４】
また、特許文献２では、会員コード等の識別コードが登録されたＩＣタグをユーザが所持し、ポスターに組み込まれたＩＣタグリーダにＩＣタグをかざすことで、ポスターの内容に関連したコンテンツが、ポスターを閲覧したユーザの携帯電話に配信されるシステムが開示されている。
【特許文献１】特開２００２−９２２３１号公報
【特許文献２】特開２００３−１４１００１号公報
【発明の開示】
【発明が解決しようとする課題】
【０００５】
しかしながら、上述した特許文献１で開示されている発明では、コンテンツを配信する側からすると能動的にコンテンツを配信できない問題がある。すなわち、ユーザがＷｅｂサイトにアクセスしなければ、ポスターを閲覧したユーザに対してコンテンツを配信することはできない。
【０００６】
また、特許文献２で開示されている発明を利用すれば、ポスターを閲覧したユーザに対して能動的にコンテンツを配信できるようになるが、ユーザにはＩＣタグが組み込まれた会員カードなどを配布しなければならず、初期コストが高くなってしまう問題がある。
【０００７】
そこで、本発明は、ポスターなどの広告媒体を閲覧したユーザに対して能動的にコンテンツを配信でき、かつ、初期コストを安価にすることができる情報配信システム及び方法を提供することを目的とする。
【課題を解決するための手段】
【０００８】
上述した課題を解決する第１の発明は、屋内または屋外に掲示される広告媒体を閲覧したユーザに対して、前記広告媒体に関連する情報を配信する情報配信システムであって、
前記広告媒体に加え、ユーザを識別するために利用されるユーザ識別媒体と、ユーザが情報を閲覧するときに利用する情報表示端末と、前記広告媒体を閲覧したユーザに情報を配信する情報配信サーバとから、少なくとも構成され、前記ユーザ識別媒体には、デジタルペンによって利用される所定のドットパターンが印刷され、この前記ドットパターンは前記ユーザ識別媒体ごとに異なり、前記広告媒体には、前記ユーザ識別媒体に印刷された前記ドットパターンを読取るドッドパターンリーダが設けられ、この前記ドットパターンリーダには、前記ユーザ識別媒体から前記ドットパターンを読取り、前記ドットパターンから前記ユーザ識別媒体ごとに固有な情報である媒体ＩＤを特定し、特定した前記媒体ＩＤと前記ドットパターンリーダごとに固有なリーダＩＤとを、ネットワークを介して前記情報配信サーバに送信する手段を備え、前記情報配信サーバは、前記広告媒体の内容と前記リーダＩＤ、及び、前記ユーザ識別媒体を所持するユーザの前記情報表示端末のアドレスと前記媒体ＩＤを、それぞれ紐付けて管理し、前記ドットパターンリーダから送信された前記媒体ＩＤから、前記ユーザ識別媒体を所持しているユーザの前記アドレスを特定し、更に、前記ドットパターンから送信された前記リーダＩＤから配信するコンテンツを選択し、特定した前記アドレスに対して、選択したコンテンツを配信するコンテンツ配信手段を備えていることを特徴とする。
【０００９】
更に、第２の発明は、第１の発明に記載の情報配信システムにおいて、前記情報配信サーバには、前記デジタルペンを利用して、ユーザが、少なくとも前記アドレスを含むユーザの個人情報を前記ユーザ識別媒体に筆記したときに、前記デジタルペンから得られる筆跡情報を利用して、前記ユーザの前記個人情報を登録する手段を備えていることを特徴とする。
【００１０】
更に、第３の発明は、第１の発明または第２の発明に記載の情報配信システムにおいて、前記ユーザ識別媒体は、紙媒体であることを特徴とする情報配信システムである。
【００１１】
更に、第４の発明は、第１の発明から第３の発明のいずれかに記載の情報配信システムであって、ユーザが所持する前記情報表示端末は携帯電話であって、前記情報配信サーバが配信する情報は電子メールであることを特徴とする。
【００１２】
更に、第５の発明は、屋内または屋外に掲示される広告媒体を閲覧したユーザに対して、前記広告媒体に関連する情報を配信する情報配信方法であって、
ステップａ）前記広告媒体に設けられたドットパターンリーダが、前記広告媒体を閲覧したユーザが所持するユーザ識別媒体から、デジタルペンによって利用される所定のドットパターンを読取るステップ、
ステップｂ）前記ドットパターンリーダが、前記ステップａ）で読取った前記ドットパターンから前記ユーザ識別媒体ごとに固有な媒体ＩＤを特定し、特定した前記媒体ＩＤと前記ドットパターンリーダごとに固有なリーダＩＤとを、ネットワークを介して前記情報配信サーバに送信するステップ、
ステップｃ）前記広告媒体に関連する情報を配信する情報配信サーバが、前記ドットパターンリーダから送信された前記媒体ＩＤから、前記ユーザ識別媒体を所持しているユーザに対し情報を配信するためのアドレスを特定し、更に、前記ドットパターンリーダから送信された前記リーダＩＤから配信する情報を選択し、特定した前記アドレスに対して、選択した情報を配信するステップ、
が順に実行されることを特徴とする。
【発明の効果】
【００１３】
上述した本発明によれば、ユーザ識別媒体を利用して、広告媒体を閲覧したユーザを識別し、ユーザが所持する情報表示端末にコンテンツを配信するため、ポスターなどの広告媒体を閲覧したユーザに対して能動的にコンテンツを配信できる。また、リーダＩＤと広告媒体の内容とを紐付けておけば、ユーザの興味のある分野に関するコンテンツをユーザに配信することができる。
【００１４】
更に、ユーザ識別媒体は、ドットパターンが印刷されていればよく、ユーザ識別媒体にＩＣタグ等の電気部品を実装する必要がないため、初期コストを安価にすることができる。ユーザ識別媒体としては、ＰＥＴや紙媒体が利用できるが、環境面から考えると紙媒体が望ましい。また、ーザ識別媒体の形状は任意でよい。
【００１５】
更に、ユーザを登録する際にデジタルペンを利用することで、会員カードにユーザが記入するだけで登録されるため、記入用紙を別途容易する必要がなく、初期コストを安価にすることができる。
【００１６】
更に、ユーザが所持する情報表示端末としては、携帯電話、ＰＤＡ（Personal Digital Assistant）、ＰＣ（Personal Computer）などが利用できるが、広く普及している携帯電話が好適である。
【発明を実施するための最良の形態】
【００１７】
ここから本発明に係る情報配信システムについて、図を参照しながら詳細に説明する。図１は、情報配信システムの構成を示した図である。なお、図１において、本発明に係る情報配信サーバは、ＡＳＨ端末５（ASH: Application Service Handler）と情報管理サーバ６とから構成されている。
【００１８】
本発明に係る情報配信システムでは、ユーザは、ユーザを識別するためのユーザ識別媒体である会員カード１を所持している。会員カード１には、デジタルペン３で読取り可能なドットパターンが印刷され、このドットパターンによってある座標が示される。
【００１９】
会員カード１ごとに割当てられている座標は異なるため、会員カード１に印刷されたドットパターンを読取ることで、ユーザが所持している会員カード１を特定することが可能である。
【００２０】
広告媒体であるポスター２をユーザが閲覧し、ポスター２の内容に係るコンテンツの配信を希望するとき、ユーザは、ポスター２に設けられたドットパターンリーダ４に会員カード１をかざす。
【００２１】
ユーザがドットパターンリーダ４に会員カード１をかざすと、ドットパターンリーダ４は、会員カード１のドットパターンを読取り、読取ったドットパターンから得られる座標と、ドットパターンリーダ４ごとに固有な情報であるリーダＩＤとをＡＳＨ端末５（ASH: Application Service Handler）に送信する。
【００２２】
ＡＳＨ端末５は、会員カード１に割当てられた座標と、会員カード１ごとに固有な情報である会員番号とを対応付けて記憶し、ＡＳＨ端末５は、ドットパターンリーダ４から座標が送信されると、送信された座標に対応する会員番号を特定し、特定した会員番号とリーダＩＤとを情報管理サーバ６に送信する。
【００２３】
情報管理サーバ６には、ユーザの個人情報として、少なくとも、会員番号に関連付けてユーザの携帯電話７のメールアドレスを記憶し、更に、ユーザに配信するコンテンツを記憶している。情報管理サーバ６は、ＡＳＨ端末５から、会員番号とリーダＩＤを受信すると、会員番号からコンテンツを送信する携帯電話７のメールアドレスを、また、リーダＩＤから配信するコンテンツを特定し、特定したメールアドレスに対し、特定したコンテンツの内容を記述した電子メール８を配信する。
【００２４】
なお、ユーザの個人情報を登録するときは、ユーザはデジタルペン３を利用して会員カード１に氏名・メールアドレスなどの個人情報を記入すると、ユーザが記入した情報がデジタルペン３からＡＳＨ端末５に送信され、ＡＳＨ端末５経由で情報管理サーバ６にユーザの個人情報が送信され、情報管理サーバ６にユーザの個人情報が登録される。
【００２５】
図２は、本発明で利用されるデジタルペン３を説明する図で、図３は会員カード１を説明する図で、図４は、会員カード１に印刷されるドットパターンを説明する図である。なお、デジタルペン３がドットパターンを読取る技術は、ポスター２に設置されるドットパターンリーダ４に応用されている。
【００２６】
本実施の形態において、デジタルペン３はＡｎｏｔｏ社製を利用し、ユーザが所持する会員カード１はデジタルペン３の専用用紙でできている。本実施の形態においてデジタルペン３をＡｎｏｔｏ社製としているのは、本発明のデジタルペン３に必要な機能をＡｎｏｔｏ社製のデジタルペンが備えているからである。当然のことながら、本発明のデジタルペン３の機能を実現できれば他社製でもよい。
【００２７】
図３に示したように会員カード１には、会員カード１の全面に後述するドットパターンが印刷され、更に会員番号が印刷されている。ユーザを登録するとき、この会員カード１には、登録するユーザの氏名と、コンテンツを配信するアドレスとなるユーザの携帯電話７のメールアドレスが、デジタルペン３を用いて記入される。
【００２８】
図４（ａ）は会員カード１に印刷されるドットパターンを拡大した図で、カーボンを含んだ特殊インキを用いて、格子状のドットパターンが会員カード１の全面に印刷されている。ドットパターンの各ドットは、格子状の交点において上下左右のいずれかの方向に微妙にずれた状態で配置される。図４（ｂ）に示したように、ドットの配置位置は意味を持ち、一つのドットで２2通りを表現することができる。
【００２９】
デジタルペン３によって、ドットパターンは、６ドット×６ドットの面積を一単位として読取られ、６ドット×６ドットの単位で一つの座標を表している。上述したように、一つのドットで２2通りを表現することができるので、３６個のドットすべて、２72通りの座標を表現することができる。
【００３０】
この２72通りの座標を全て網羅できる面積は、非常に膨大な面積になるため、会員カード１ごとに、この膨大な面積の一部の異なる領域を割当て、会員カード１の会員番号と対応付けることによって、会員カード１の任意箇所のドットパターンを読み取ることで、会員カード１の会員番号を特定することが可能である。
【００３１】
図２に図示したように、デジタルペン３には、従来のペンとして機能するペン部３３に加え、デジタルペン３として機能するために、会員カード１に印刷されたドットパターンを読取る手段であるＣＣＤカメラ３２と、ＡＳＨ端末５と無線通信するための手段である無線通信手段３５（ここでは、ブルートゥース）と、ペン部３３のペン先に加わる圧力を計測するための筆圧センサ３４と、ＣＣＤカメラ３２が撮像した画像の画像処理などの行うためのイメージプロセッサ３０と、イメージプロセッサ３０が処理した情報を記憶するメモリ３１を備えている。
【００３２】
会員カード１上に印刷されたドットパターンを読取る手段であるＣＣＤカメラ３２は光源と光学系を備えている。上述しているように、ドットパターンは、カーボンを含んだ特殊インキで印刷されているため、ＣＣＤカメラ３２が赤外線を利用し会員カード１を撮像することで、ＣＣＤカメラ３２は会員カード１に印刷されたドットパターンだけを認識することができる。
【００３３】
デジタルペン３に備えられた無線通信手段３５は、外部装置（ここでは、ＡＳＨ端末５）と通信する手段で、Ａｎｏｔｏ社製のデジタルペン３では無線通信手段３５としてブルートゥースを備えている。当然のことながら、無線通信手段３５はブルートゥース以外の手段、例えば、ＺｉｇＢｅｅや赤外線通信でもよく、更には、ＵＳＢなど有線で通信を行う手段であっても構わない。
【００３４】
筆圧センサ３４は、ユーザがデジタルペン３のペン部３３の先端に加わる圧力すなわち筆圧を検出し、イメージプロセッサ３０へ伝達する手段である。イメージプロセッサ３０は筆圧センサから送信される信号を参照することで、ペン部３３のペン先がＯＮ状態、すなわち、会員カード１に接した状態（＝記入している状態）であるか、ＯＦＦ状態、すなわち、会員カード１に接していない状態（＝記入していない状態）であるか判断できる。
【００３５】
画像処理を行うイメージプロセッサ３０は、ペン部３３のペン先がＯＮ状態であるときに、ＣＣＤカメラ３２を用いて高速（５０回〜１００回／秒）でドットパターンを撮像し、撮像したドットパターンから座標を演算する。
【００３６】
イメージプロセッサ３０は、ドットパターンを撮像した時間情報、ドットパターンから得られる座標、および、座標の推移を解析することで得られるストローク情報を少なくとも筆跡情報として、時系列でメモリに記憶する。記憶した筆跡情報はデジタルペン３から外部装置（ここでは、ＡＳＨ端末５）に、無線通信手段３５で送信される。
【００３７】
例えば、図３に示したように、ユーザが会員カード１に記入したユーザの氏名・メールアドレスは、筆跡情報としてデジタルペン３のメモリ３１に記憶され、無線通信手段３５によってＡＳＨ端末５に送信され、ＡＳＨ端末５によって手書き文字認識(Handwriting Recognition)される。
【００３８】
図５は、ポスター２を説明する図である。図５（ａ）はポスター２の側面図で、図５（ａ）で示したように、ポスター２の下部の一部を貫通するように、ドットパターンリーダ４が組み込まれている。
【００３９】
ドットパターンリーダ４は、会員カード１に印刷されたドットパターンを読取り、ドットパターンから得られる座標をＡＳＨ端末５に送信する装置である。
【００４０】
図５（ｂ）はドットパターンリーダ４のブロック図で、ドットパターンリーダ４には、図２で示したデジタルペン３と同様の要素を備え、デジタルペン３のペン部３３に対応する接触部４４に加え、会員カード１に印刷されたドットパターンを読取る手段であるＣＣＤカメラ４２と、ＡＳＨ端末５と通信するための手段であるネットワーク通信手段４５と、接触部４３に加わる圧力を計測するための圧力センサ４４と、ＣＣＤカメラ４２が撮像した画像を記憶するメモリ４１と、ＣＣＤカメラ４２が撮像した画像の画像処理などの行うためのイメージプロセッサ４０を備えている。
【００４１】
ドットパターンリーダ４はデジタルペン３と同様に、接触部４３が会員カード１に接触している状態で、ＣＣＤカメラ４２が会員カード１の表面を撮像し、イメージプロセッサ４０はＣＣＤカメラ４２が撮像したドットパターンを解析することで座標を演算し、演算した座標をネットワーク通信手段４５でＡＳＨ端末５に送信する。
【００４２】
ポスター２に備えられたドットパターンリーダ４が、ポスター２を閲覧しているユーザの会員カード１のドットパターンを読取ることで、ＡＳＨ端末５でポスター２を閲覧したユーザの会員番号を特定することが可能になる。
【００４３】
ここから、ＡＳＨ端末５について説明する。図６は、ＡＳＨ端末５のブロック図である。ＡＳＨ端末５には、デジタルペン３と通信する手段として無線通信手段５１と、ドットパターンリーダ４及び情報管理サーバ６と通信する手段としてネットワーク通信手段５２を備え、更に、これらの通信手段で受信した情報を処理する情報処理手段５０を備え、会員カード１の会員番号と、会員番号に割当てられた座標とを対応付けた座標テーブル５３を記憶している。
【００４４】
図７は、座標テーブル５３の一例を示した図である。図７に示したように、座標テーブル５３には、会員カード１の会員番号ごとに、会員番号で特定される会員カード１に割当てられた座標の範囲が記述されている。情報処理手段５０は、この座標テーブル５３を参照することで、会員カード１に印刷されたドットパターンを解析することで得られる座標から、会員カード１の会員番号を特定することができる。
【００４５】
情報処理手段５０は、手書き文字認識機能を有し、ユーザを登録するとき、デジタルペン３から筆跡情報が送信されると、この筆跡情報を文字コードに変換すると共に、座標テーブル５３を参照してデジタルペン３によって記入された会員カード１の会員番号を割出し、ネットワーク通信手段５２を用いて、会員番号と変換した文字コードとを情報管理サーバ５に送信する。
【００４６】
更に、ユーザがポスター２を閲覧したとき、ＡＳＨ端末５の情報処理手段５０は、ポスター２のドットパターンリーダ４から座標とリーダＩＤとが送信されると、座標テーブル５３を参照して、送信された座標に対応した会員番号を割出し、ネットワーク通信手段を５２用いて、会員番号とリーダＩＤとを情報管理サーバ６に送信する。
【００４７】
ここから、情報管理サーバ６について説明する。図８は情報管理サーバ６のブロック図である。情報管理サーバ６には、ＡＳＨ端末５と通信する手段としてネットワーク通信手段６２を備え、更に、これらの受信した情報を処理する手段として、ＡＳＨ端末５で会員カード１に記入したユーザのユーザ情報を登録するユーザ登録手段６０と、ポスター２を閲覧したユーザのユーザ情報を検索し、ポスター２の内容に適したコンテンツを配信する情報配信手段６１を備えている。
【００４８】
更に、情報管理サーバ６は、登録したユーザを管理するためのデータテーブルであるユーザテーブル６３と、ユーザに配信する様々なコンテンツを記憶したコンテンツデータベース６５と、ドットパターンリーダ４のリーダＩＤとポスター２の内容を示したポスター情報とを対応付けているデータテーブルであるリーダＩＤテーブル６４を有している。
【００４９】
図９は、ユーザテーブル６３の一例を示した図である。図９に示したように、ユーザテーブル６３には、ユーザ情報として、会員番号で特定される会員カード１に記入した内容が記述され、ここでは、ユーザの氏名とユーザのメールアドレスが記述さている。このユーザテーブル６３を参照することで、会員カード１の会員番号から、少なくともコンテンツを配信するアドレスとなる携帯電話７のメールアドレスを特定することができる。
【００５０】
図１０は、リーダＩＤテーブル６４の一例を示した図である。図１０に示したように、リーダＩＤテーブル６４には、ドットパターンリーダ４のリーダＩＤに対応付けて、ドットパターン４が設けられているポスター２の内容（例えば、カテゴリ）を示すポスター情報が記憶されている。このリーダＩＤテーブル６４を参照することで、ドットパターンリーダ４のリーダＩＤから、ドットパターン４が設けられているポスター２のポスター情報を特定することができる。
【００５１】
情報管理サーバ６は、ＡＳＨ端末５から、ユーザ情報として、会員番号と変換した文字コードとを受信すると、ユーザ登録手段６０を作動させ、受信した情報をユーザテーブル６４に追加する。
【００５２】
また、情報管理サーバ６は、ＡＳＨ端末５から会員番号とリーダＩＤとを受信すると、情報配信手段６１を作動させる。情報配信手段６１が作動すると、ユーザテーブル６３を参照し、会員番号に対応するユーザのユーザ情報として、ここでは、氏名とメールアドレスとを検索する。
【００５３】
更に、情報配信手段６１は、リーダＩＤテーブル６４を参照し、ＡＳＨ端末５から受信したリーダＩＤに対応するポスター情報を検索する。そして、コンテンツデータベース６５の中からポスター情報に適したコンテンツを検索し、コンテンツの内容を記述した電子メール８を作成し、特定したアドレスの携帯電話８に対して、作成した電子メール８を配信する。
【図面の簡単な説明】
【００５４】
【図１】情報配信システムの構成を示した図。
【図２】デジタルペンを説明する図。
【図３】会員カードを説明する図。
【図４】会員カードに印刷されるドットパターンを説明する図。
【図５】ポスターを説明する図。
【図６】ＡＳＨ端末のブロック図。
【図７】座標テーブルの一例を示した図。
【図８】情報管理サーバのブロック図。
【図９】ユーザテーブルの一例を示した図。
【図１０】リーダＩＤテーブルの一例を示した図。
【符号の説明】
【００５５】
１  会員カード
２  ポスター
３  デジタルペン
４  ドットパターンリーダ
５  ＡＳＨ端末
６  情報管理サーバ
７  携帯電話
８  電子メール
【図１】
2008083773.tif 000003
【図２】
2008083773.tif 000004
【図３】
2008083773.tif 000005
【図４】
2008083773.tif 000006
【図５】
2008083773.tif 000007
【図６】
2008083773.tif 000008
【図７】
2008083773.tif 000009
【図８】
2008083773.tif 000010
【図９】
2008083773.tif 000011
【図１０】
2008083773.tif 000012